(57)【特許請求の範囲】
【請求項１】
検出データ伝達回路と状態・症状観測具を有し、
前記状態・症状観測具は、患者の状態・症状のデータを検出する検出具と前記検出具を前記患者に装着するための固定具とを備えた患者装着具を有し、前記検出具が取得した前記状態・症状のデータを前記検出データ伝達回路に与え、前記検出データ伝達回路は、ナースコール装置に電気的に接続するための少なくとも二つの第一の端子を備えた第一のコネクタと、
前記第一の端子間には、互いに直列接続する、メインスイッチと前記状態・症状のデータを取り込む二つの第二の端子を有する観測データ取込部とを備え、且つ、前記患者装着具の前記患者への装着を確認する装着状態検出回路と前記メインスイッチの開閉を行わせる駆動具と、前記装着状態検出回路を駆動する測定クロック発振回路を備え、
前記検出具は、前記固定具が前記患者に装着されたかどうかで、電気的導通又は非導通となる対の電極を前記固定具に備え、前記対の電極は、前記観測データ取込部の二つの第二の端子に電気的に並列接続され、
前記駆動具の起動により一旦前記メインスイッチを開放にし、
前記装着状態検出回路は、前記駆動具の起動を受けて、前記対の電極の前記電気的導通又は非導通を検出し２値化する手段と、前記検出を行い、所望の検出時間又は所望の検出回数において、前記２値化した複数の検出値が前記装着の状態に対応するか照合する手段と、を備え、所望の検出時間又は所望の検出回数において装着を確認したことで前記メインスイッチを接続にする手段を備えて前記状態・症状のデータの伝達を有効にするか、
又は、所望の検出時間又は所望の検出回数において装着を確認したことで前記ナースコール装置側での前記検出データ伝達回路からの観測データ取込又は、検出判断処理を開始するようにしたことを特徴とする装着状態検出による回路活性機能付患者の状態・症状観測装置。
【請求項２】
前記検出データ伝達回路は、前記観測データ取込部の前記二つの第二の端子又は前記メインスイッチに直列に接続されたタイマー駆動スイッチを備え、前記タイマー駆動スイッチは、タイマーにより所望の時間だけ開放されたあと接続状態になるものであり、前記駆動具は前記タイマーを駆動したことを特徴とする請求項１記載の装着状態検出による回路活性機能付患者の状態・症状観測装置。
【請求項３】
前記タイマー駆動スイッチに並列に、前記タイマー駆動スイッチとは反対の接続／開放状態となる第一のスイッチと第一のスイッチに直列接続した手動による第二のスイッチを接続して、前記タイマーの起動中で前記タイマー駆動スイッチが開放になっている時間でも、前記第二のスイッチを入れることで、前記検出データ伝達回路の接続を有効にして、前記タイマーの時間経過を待たずに回路のテストを可能とするテスト回路としたことを特徴とする請求項２記載の装着状態検出による回路活性機能付患者の状態・症状観測装置。
【請求項４】
前記検出具の前記対の電極と観測データ取込部の前記二つの第二の端子間に接続される第三のスイッチと
前記検出具による前記患者の装着を確認する前記装着状態検出回路の前記２値化する手段
と前記検出具の前記対の電極との間に接続される第四のスイッチとを備え、両者を反対の接続／開放状態となるようにしたことで、第四のスイッチを接続して前記装着を確認している間は第三のスイッチを開放することで、前記観測データ取込部への前記対の電極の前記状態・症状のデータの取り込みをなくし、前記ナースコール装置への前記状態・症状のデータの提供をなくし、
第四のスイッチを開放しているときは、第三のスイッチを接続して、前記観測データ取込部への前記対の電極の前記状態・症状のデータの取り込みを行い、前記ナースコール装置への前記状態・症状のデータの提供を行うことを特徴とする請求項１から請求項３のいずれか１つに記載の装着状態検出による回路活性機能付患者の状態・症状観測装置。
【請求項５】
前記患者の装着の確認は、所望の複数の連続した装着状態が検出されることで前記メインスイッチの接続又は観測データ取込又は、検出判断処理の開始を行うようにしたことを特徴とする請求項１から請求項４のいずれか１つに記載の装着状態検出による回路活性機能付患者の状態・症状観測装置。
【請求項６】
前記患者装着具はバー患者連結具であって、固定状態によって導通又は非導通になる互いに向き合った前記対の電極を有する前記固定具と前記対の電極から引き出され前記観測データ取込部に接続される導電ワイヤと前記固定具又は前記導電ワイヤの途中から引き出された紐と前記紐の先端についた棒状のバーを有し、前記バーが前記検出データ伝達回路の筐体に付設したバー穴に挿入／抜き出しによって、前記観測データ取込部の前記二つの第二の端子の開放／接続を行うようにしたことを特徴とする請求項１から請求項５のいずれか１つに記載の装着状態検出による回路活性機能付患者の状態・症状観測装置。
【発明の詳細な説明】
【技術分野】
【０００１】
本発明は、病院や介護施設等で通常では動くことが危険な患者等が動いたことを検出し、ナースコール装置等に連動して報知するための患者の状態・症状観測装置に関するものである。
【背景技術】
【０００２】
従来のこの種の患者の状態・症状観測装置は、患者が動くと患者に取り付けられた紐が引かれ、スイッチがはいるという引き抜き方式の装置が多く提案されている。
特許文献１では、引き抜き方式のナースコールスイッチが提案されている。スイッチを押す代わりに板状体を引き抜くと、スイッチが入るようになっている。
特許文献２では、やはり、棒状体のものが引き抜かれることでナースコールスイッチが入るものであるが、引き抜きの方向によって引き抜きに差異がないような仕掛けをしている。
特許文献３では、やはり板状体を引き抜きすることで、親機のナースコール装置のスイッチが入るようになっている。図９にこれを示す。ナースコール装置の子機である患者の状態・症状観測装置９００は、検出データ伝達回路９１０とバー患者連結具９２０からなっている。バー患者連結具９２０は、患者の衣服等につけるクリップ９２１とこれとバー９２２を結ぶ紐９２３からなり、バー９２２は、引き抜きを検出するための板状体または棒状体である。
検出データ伝達回路９１０は、筐体９１１の面にバー９２２を出し入れするバー穴９１２があり、ここにバー９２２を入れるとスイッチ９１３が非導通または導通に、引き出すと逆に導通または非導通になる。このスイッチ９１３に直列にこの回路が使用しない状態において回路を切っておくためのメインスイッチ９１４があって、筐体９１１の表面に手動の操作部が配置されている。更に、図のようにスイッチ９１３とメインスイッチ９１４を含む両端の電極は、コネクタ９１５として外部に導出され、親機のナースコール装置の回路に接続していて、スイッチ９１３の非導通または導通を検出し警報を鳴らすようになっている。
以上のどの提案も引き抜きによる患者の状態・症状観測装置である。簡単な構成で検出が可能であるが、実際の医療現場では、以下の問題が発生してその欠点があることが露見している。
即ち、棒状体または板状体に付いた紐の先には患者の衣服等に取り付けるクリップがあるが、これが先に外れる、患者が外すなどして、患者が動いているにも関わらず棒状体または板状体が引き抜かれることないため、ナースコール装置のブザーがならないという不具合があった。また、ある現場では、クリップ装着時に、メインスイッチ９１４を切ってから装着を行ったが、うっかりメインスイッチ９１４を入れ忘れて機能しない不具合があった。このようなことは、往々にして発生する不具合である。
【先行技術文献】
【特許文献】
【０００３】
【特許文献１】特開２００６−３０５２５９
【特許文献２】特開２００４−３１３３１２
【特許文献３】特許第３６２９１９９号
【発明の概要】
【発明が解決しようとする課題】
【０００４】
本発明の課題は、上記のメインスイッチを入れ忘れて機能しない不具合に対応してその改善を行った患者の状態・症状観測装置を提供することである。
【課題を解決するための手段】
【０００５】
本発明の装着状態検出による回路活性機能付患者の状態・症状観測装置は、電極の付いたクリップで装着状態を検出し、正常な装着を確認したら回路のメインスイッチを入れるようにしたことを特徴とする。従って、使用状態では、確実にスイッチが入り、機能することができる。以下、請求項に沿って説明する。
【０００６】
請求項１記載の発明は、装着状態検出による回路活性機能付患者の状態・症状観測装置であって、
検出データ伝達回路と状態・症状観測具を有し、
前記状態・症状観測具は、患者の状態・症状のデータを検出する検出具と前記検出具を前記患者に装着するための固定具とを備えた患者装着具を有し、前記検出具が取得した前記状態・症状のデータを前記検出データ伝達回路に与え、前記検出データ伝達回路は、ナースコール装置に電気的に接続するための少なくとも二つの第一の端子を備えた第一のコネクタと、
前記第一の端子間には、互いに直列接続する、メインスイッチと前記状態・症状のデータを取り込む二つの第二の端子を有する観測データ取込部とを備え、且つ、前記患者装着具の前記患者への装着を確認する装着状態検出回路と前記メインスイッチの開閉を行わせる駆動具と、前記装着状態検出回路を駆動する測定クロック発振回路を備え、
前記検出具は、前記固定具が前記患者に装着されたかどうかで、電気的導通又は非導通となる対の電極を前記固定具に備え、前記対の電極は、前記観測データ取込部の二つの第二の端子に電気的に並列接続され、
前記駆動具の起動により一旦前記メインスイッチを開放にし、
前記装着状態検出回路は、前記駆動具の起動を受けて、前記対の電極の前記電気的導通又は非導通を検出し２値化する手段と、前記検出を行い、所望の検出時間又は所望の検出回数において、前記２値化した複数の検出値が前記装着の状態に対応するか照合する手段と、を備え、所望の検出時間又は所望の検出回数において装着を確認したことで前記メインスイッチを接続にする手段を備えて前記状態・症状のデータの伝達を有効にするか、
又は、所望の検出時間又は所望の検出回数において装着を確認したことで前記ナースコール装置側での前記検出データ伝達回路からの観測データ取込又は、検出判断処理を開始するようにしたことを特徴とする。
【０００７】
請求項２記載の発明は、請求項１記載の装着状態検出による回路活性機能付患者の状態・症状観測装置において、前記検出データ伝達回路は、前記観測データ取込部の前記二つの第二の端子又は前記メインスイッチに直列に接続されたタイマー駆動スイッチを備え、前記タイマー駆動スイッチは、タイマーにより所望の時間だけ開放されたあと接続状態になるものであり、前記駆動具は前記タイマーを駆動したことを特徴とする。
【０００８】
請求項３記載の発明は、請求項２記載の装着状態検出による回路活性機能付患者の状態・症状観測装置において、
前記タイマー駆動スイッチに並列に、前記タイマー駆動スイッチとは反対の接続／開放状態となる第一のスイッチと第一のスイッチに直列接続した手動による第二のスイッチを接続して、前記タイマーの起動中で前記タイマー駆動スイッチが開放になっている時間でも、前記第二のスイッチを入れることで、前記検出データ伝達回路の接続を有効にして、前記タイマーの時間経過を待たずに回路のテストを可能とするテスト回路としたことを特徴とする。
【０００９】
請求項４記載の発明は、請求項１から請求項３のいずれか１つに記載の装着状態検出による回路活性機能付患者の状態・症状観測装置において、前記検出具の前記対の電極と観測データ取込部の前記二つの第二の端子間に接続される第三のスイッチと
前記検出具による前記患者の装着を確認する前記装着状態検出回路の前記２値化する手段
と前記検出具の前記対の電極との間に接続される第四のスイッチとを備え、両者を反対の接続／開放状態となるようにしたことで、第四のスイッチを接続して前記装着を確認している間は第三のスイッチを開放することで、前記観測データ取込部への前記対の電極の前記状態・症状のデータの取り込みをなくし、前記ナースコール装置への前記状態・症状のデータの提供をなくし、
第四のスイッチを開放しているときは、第三のスイッチを接続して、前記観測データ取込部への前記対の電極の前記状態・症状のデータの取り込みを行い、前記ナースコール装置への前記状態・症状のデータの提供を行うことを特徴とする。
【００１０】
請求項５記載の発明は、請求項１から請求項４のいずれか１つに記載の装着状態検出による回路活性機能付患者の状態・症状観測装置において、前記患者の装着の確認は、所望の複数の連続した装着状態が検出されることで前記メインスイッチの接続又は観測データ取込又は、検出判断処理の開始を行うようにしたことを特徴とする。
【００１１】
請求項６記載の発明は、請求項１から請求項５のいずれか１つに記載の装着状態検出による回路活性機能付患者の状態・症状観測装置において、前記患者装着具はバー患者連結具であって、固定状態によって導通又は非導通になる互いに向き合った前記対の電極を有する前記固定具と前記対の電極から引き出され前記観測データ取込部に接続される導電ワイヤと前記固定具又は前記導電ワイヤの途中から引き出された紐と前記紐の先端についた棒状のバーを有し、前記バーが前記検出データ伝達回路の筐体に付設したバー穴に挿入／抜き出しによって、前記観測データ取込部の前記二つの第二の端子の開放／接続を行うようにしたことを特徴とする。
【発明の効果】
【００１２】
以上の様に構成されているので、本発明の装着状態検出による回路活性機能付患者の状態・症状観測装置は、装着時に一時的に切断したスイッチを装着後に自動的に接続することができ、忘れるという人為的ミスを回避できる。
【図面の簡単な説明】
【００１３】
【図１】本発明による装着状態検出による回路活性機能付患者の状態・症状観測装置の一実施態様を示す図である。
【図２】本発明による装着状態検出による回路活性機能付患者の状態・症状観測装置のソフトウェエアによる一実施態様を示す図である。
【図３】本発明による装着状態検出による回路活性機能付患者の状態・症状観測装置のハードエアによる一実施態様を示す図である。
【図４】本発明による装着状態検出による回路活性機能付患者の状態・症状観測装置のハードエアによる回路構成の一実施態様を示す図である。
【図５】本発明による装着状態検出による回路活性機能付患者の状態・症状観測装置の発振器の一実施態様を示す図である。
【図６】本発明による装着状態検出による回路活性機能付患者の状態・症状観測装置のハードエアによる回路の動作タイミングの一実施態様を示す図である。
【図７】本発明による装着状態検出による回路活性機能付患者の状態・症状観測装置への電源の供給の一実施態様を示す図である。
【図８】本発明による装着状態検出による回路活性機能付患者の状態・症状観測装置に使用して便利なクリップの一実施態様を示す図である。
【図９】従来の患者の状態・症状観測装置を示す図である。
【発明を実施するための形態】
【００１４】
本発明による装着状態検出による回路活性機能付患者の状態・症状観測装置は、電極等の検出具とクリップ等の固定具を有する患者装着具で装着状態を検出し、正常な装着を確認したら検出データ伝達回路のメインスイッチを入れる、又は、親機による検出判断処理を開始するようにしたことを特徴とする。
以下、実施例を用い説明する。
【００１５】
図１は、装着状態検出による回路活性機能付患者の状態・症状観測装置の一実施態様を示す図である。
１−Ａにおいて、ナースコール装置の患者の傍に備えられる子機である装着状態検出による回路活性機能付患者の状態・症状観測装置１００は、検出データ伝達回路１１０と状態・症状観測具１２０を有し、検出データ伝達回路１１０は、状態・症状観測具１２０により患者の動き・病状に対応した電気信号を取り込むところの観測データ取込部１１３を回路内に有し、これと直列接続したメインスイッチ１１４を介して回路は第一のコネクタ１１５を通じて、親機のナースコール装置に接続され、患者の状態の検出データを親機に伝達するため回路である。状態・症状観測具１２０は、検出具と固定具を有する患者装着具を備える。検出具は、患者の動き、脈動や体温等の患者の健康状態、病状などを検出・監視し、固定具は、患者装着具を患者に装着固定するためのものでクリップ等で構成される。検出データは、配線又は無線により検出データ伝達回路１１０に接続することも可能である。同様に、輸血、点滴などの注入針を腕に固定する固定具に対の電極を備えて、固定具が装着・外れた状態を観測させナースコール装置を駆動することも可能である。
そのなかで、状態・症状観測具１２０として、バー患者連結具１２０Ａを例に取り上げ詳しく説明してゆく。
【００１６】
バー患者連結具１２０Ａは、患者の衣服等につけるクリップ１２１とこれとバー１２２を結ぶ紐１２３を有し、更に、クリップ１２１は、クリップ１２１の状態によって導通又は非導通になる互いに向き合った対の電極１２４を有している。バー１２２は、差込／引き抜きを検出するための板状体または棒状体である。この場合、観測データ取込部１１３は、バー１２２の引き抜きにより導通／非導通状態が変わる異常検出用のための第五のスイッチ１１３Ａを用いることができる。
検出データ伝達回路１１０は、筐体１１１の面にバー１２２を出し入れするバー穴１１２があり、ここにバー１２２を入れると第五のスイッチ１１３Ａが非導通または導通に、引き出すと逆に導通または非導通になる。さらに前記対の電極から導かれた導電ワイヤ１２５が検出データ伝達回路１１０の筐体１１１についた第二のコネクタ１１６を介して第五のスイッチ１１３Ａに並列に接続している。
第五のスイッチ１１３Ａと導電ワイヤ１２５の並列接続した回路に直列にこの回路が装着状態にない場合において回路を切っておくためのメインスイッチ１１４がある。
第五のスイッチ１１３Ａまたは対の電極１２４の非導通または導通を検出し警報を鳴らすようになっている。導電ワイヤ１２５は、線材が絶縁被服材でカバーされているものを使用する。このバー患者連結具１２０Ａによって、クリップ１２１の装着外れを観測できこの場合は、患者の動きを観測することができる。
【００１７】
検出データ伝達回路１１０は、装着状態検出・スイッチ駆動手段１３０を有していて、装着状態検出・スイッチ駆動手段１３０は、前記導電ワイヤ１２５を介して前記対の電極１２４の短絡／開放を検出することでクリップの装着状況を検出し、装着状態が確認されたことをもって、メインスイッチ１１４を入れることをおこなっている。このことにより、装着状態で無い場合は、前記メインスイッチ１１４が開放されているので、いかなる検出状態もナースコール装置本体には届かないため、誤報の発生も無いことになる。クリップ１２１の正常な装着をして初めて正常な検出が可能となっている。装着状態検出・スイッチ駆動手段１３０の具体的例は、図２から図６に亘って詳細に説明する。
【００１８】
更に検出データ伝達回路１１０が備えて好都合な手段を説明する。
装着状態検出・スイッチ駆動手段１３０が、対の電極１２４の短絡／開放を検出している状態では、対の電極１２４に繋がった導電ワイヤ１２５の第五のスイッチ１１３Ａへの並列接続を開放にし、対の電極１２４の短絡／開放を検出していない状態では、対の電極１２４に繋がった導電ワイヤ１２５の第五のスイッチ１１３Ａへの並列接続を行う第三のスイッチ１１６Ａを有する。
また、メインスイッチ１１４と第五のスイッチ１１３Ａとに直列にタイマー駆動スイッチ１１７を設け、これがタイマー１３１により、所望の時間だけ切断された後接続されるようにすると、装着前後の不安定な時間をタイマー駆動スイッチ１１７を開放にしてナースコール装置親機への接続を無効とし、所望の時間経過後に接続を有効にでき好都合である。タイマー駆動スイッチ１１７とは逆動作（開放と接続が反対になる）になる第一のスイッチ１１８とこれに直列に接続した第二のスイッチ１１９をタイマー１３１で駆動されたタイマー駆動スイッチ１１７に並列に接続すると、タイマーでタイマー駆動スイッチ１１７が開放になっている時間でも第二のスイッチ１１９をいれることで、検出データ伝達回路１１０の接続を有効にし、テストモードとして使用できる。テストをしたいときにタイマー１３１が与える時間を待って行うのは煩わしいので、すぐ実行した場合には好都合となる。
１−Ａには、タイマー１３１を駆動する押しボタン１３２等の駆動具が、同時にメインスイッチ１１４を駆動するようになっていることが示されている。図３、図４では、直接メインスイッチ１１４を駆動しないで、装着状態検出・スイッチ駆動手段１３０を介して間接的にメインスイッチ１１４を駆動している。
【００１９】
紐１２３と導電ワイヤ１２５の構成として、各種の形を取ることができる。
一つ目は、両者を全く別個のものとして構成する場合であり、紐１２３よりクリップ１２１から第二のコネクタ１１６（図４参照）までの導電ワイヤ１２５の長さを長くする。又は、導電ワイヤ１２５を巻いた状態で伸縮自在にした場合は、伸びた状態で長くなるようにする。
二つ目は、両者を兼用して構成した場合は、クリップ１２１からは、導電ワイヤ１２５のみを引き出し紐代わりにし、導電ワイヤ１２５を第二のコネクタ１１６に接続するが、導電ワイヤ１２５の途中から引き出した接続紐１２６でバー１２２へ接続する。この場合、導電ワイヤ１２５の途中から引き出した接続点１２７から第二のコネクタ１１６への導電ワイヤ１２５の長さを引き出した接続紐１２６より十分長くする。又は、導電ワイヤ１２５を巻いた状態で伸縮自在にした場合は、伸ばした状態で長くなるようにする。このようにすると、導電ワイヤ１２５又は紐１２３が引かれた場合に効果的にバー１２２を引き出すことができる。
１−Ａにおいては、二つ目の構成の場合の例を示していて、導電ワイヤ１２５のみを引き出し紐代わり兼用の場合である。更に、バー１２２と第五のスイッチ１１３Ａの動作は１−Ｂにおいて、対の電極１２４と導電ワイヤ１２５は、図８において詳述する。
【００２０】
１−Ｂにおいて、バー１２２と第五のスイッチ１１３Ａの動作は以下のようである。
上下の２枚の板１３３が適当な隙間１３４を有して存在し、これがばね板１３５に支えられている。隙間１３４にバー１２２を挿入した状態では、バー１２２に板１３３が押し広げられて隙間１３４が拡大し、板１３３についた電気接点１３６が離れて非導通の状態にある。これが下に示す状態である。上に示すようにバー１２２を引き出すと、ばね板１３５の復元により板１３３の隙間１３４が狭まって電気接点１３６が接触して導通の状態となる。
電気接点１３６は、第五のスイッチ１１３Ａの二つの電極（端子）に対応している。従って、電気接点１３６は、１つは、１−Ａの第一のコネクタ１１５へ接続し、又は、直列に接続した他のスイッチ（タイマー駆動スイッチ１１７等）を介して第一のコネクタ１１５へ接続し、他方は、メインスイッチ１１４に接続し、これを介して第一のコネクタ１１５へ接続している。勿論、各スイッチは、直列するものは、その位置や配置の順番に関係が無く動作は同じであるので、この配置は自由である。
【００２１】
図２は、本発明による装着状態検出による回路活性機能付患者の状態・症状観測装置のソフトウェアによる一実施態様を示す図である。
特に、装着状態検出・スイッチ駆動手段１３０のソフトウェアのよる実現の実施態様である。２−Ａは、ＣＰＵ２０１とメモリ２０２があって、概略２−Ｂに示す処理フローに基づくプログラムで動作させる。ＣＰＵ２０１への入力は、１）タイマー駆動ボタン押検出  
２）対の電極の開放／短絡検出のための測定取り込みであり、出力としては、３）メインスイッチ１１４の切断／接続  ４）タイマーによるタイマー駆動スイッチ１１７の切断／接続  ５）対の電極に繋がった導電ワイヤ１２５の第五のスイッチ１１３Ａへの並列接続の切断／接続  ６）対の電極に繋がった導電ワイヤ１２５への検出のための取り込みスイッチの接続／切断となっている。尚、タイマー１３１はＣＰＵ２０１に内蔵のものが使われる。回路のハードウェア部分は、図４の部分と同じものが多いので、そこで説明する。
【００２２】
２−Ｂにおいて、
コンピュータの中では、大よそこのフローに従って処理を行っている。
イ）       押しボタン１３２が押されたか。押された場合には、タイマー駆動ボタン押検出入力に押されたことによるパルス信号が出るので、これを検出する。
ロ）      押されてない場合は、プログラムされた所望の間隔でイ）を繰り返す。
押された場合には、メインスイッチを切断する。また、タイマー駆動スイッチ１１７がある場合は、タイマーが与える所望の時間だけ、タイマー駆動スイッチ１１７を切断（さらに第一のスイッチ１１８がある場合は接続）し、その後は接続する。
ハ）      対の電極１２４（又は導電ワイヤ１２５）への検出のための取り込み用の第六のスイッチ２０３を接続して、対の電極１２４の装着状態（開放状態）か。装着状態で無い場合は、ハ）を繰り返す。
ニ）      装着状態が所望の時間継続したか。継続しない場合は、ハ）を繰り返す。
ホ）      継続した場合は、真の装着状態が得られたとしてメインスイッチ１１４を入れる。
更に、導電ワイヤ１２５の第五のスイッチ１１３Ａへの並列接続状態を接続状態とし、導電ワイヤ１２５への装着状態検出のための第六のスイッチ２０３を切断状態にする。この状態では、検出データ伝達回路１１０は、コネクタ１１５を通じて親機のナースコール装置に繋がって、患者の動き・病状観測機能を発揮する。
その後、イ）に戻って繰り返す。次の押しボタン１３２が新たに押されない限り、患者の動き・病状観測機能を行っている。
【００２３】
図３は、本発明による装着状態検出による回路活性機能付患者の状態・症状観測装置のハードウェアによる一実施態様を示す図である。
特に、装着状態検出・スイッチ駆動手段１３０のハードウェアのよる実現の実施態様である。装着状態検出・スイッチ駆動手段１３０は、装着状態検出回路３０１とこれを駆動する測定クロック発振回路３０２を有している。押しボタン３０３は、タイマー３０４と測定クロック発振回路３０２と装着状態検出回路３０１を駆動している。装着状態検出回路３０１の駆動は、装着状態検出回路３０１の出力、ここでは、ＲＳフリップフロップ３０５のＱ出力をクリア（リセット）するため、Ｒ（リセット）端子に接続している。
Ｑ出力によりメインスイッチの開閉を駆動している。測定クロック発振回路３０２の駆動の動作では、押しボタン３０３の動作出力により、測定クロック発振回路に発振動作させるか、常時発振している信号を装着状態検出回路３０１に導出するかどうかを行う。タイマー３０４の駆動は、押しボタンのあと、所望の時間間隔の信号を生み出して、ターマー駆動スイッチ１１７に所望の時間の切断（この例では）を行わせる。尚、押しボタン３０３は、プルスイッチでも、回転など他の手段も可能である。一般に、接触と切断によるスイッチは、接触時に時間の短い細かな断続を繰り返した後、最終の状態になり、この間電気的には細かい多数のパルス電気信号が発生する。これをチャタリングという。この信号により、誤動作をするため、これを回避するため、チャタリング防止回路の挿入や、ソフトウェア対応をすることがある。尚、この例では、押しボタン３０３が押されると、端子３０６が端子３０７に接続して、電源３０８の電位となり「１：ハイ」の状態、手を放すと押しボタン３０３が戻って、端子３０６が端子３０７から離れて、抵抗３０９を介して接地電位「０：ロー」になり、押している間「ハイ」の電気パルスが発生する。このパルスにより、上記の駆動を行う。次に、装着状態検出回路３０１とこれを駆動する測定クロック発振回路３０２の更に詳細な実施例を説明する。以下では、デジタルの値は、「１」と「０」で表すことにする。
【００２４】
図４は、本発明による装着状態検出による回路活性機能付患者の状態・症状観測装置のハードウェアによる回路構成の一実施態様を示す図である。図４は、点線で囲まれたブロック１からブロック４の４つの回路が示されていて、ブロック１は、検出データ伝達回路１１０である。
ブロック２は、測定クロック発振回路３０２の詳細である。ブロック３とブロック４は、装着状態検出回路３０１を構成している。
その動作のタイミングの概要を図６に示す。図６を見ながら図４の回路の動作を説明する。クリップの装着や外す場合に押しボタン３０３を押して、検出データ伝達回路と親機ナースコール装置との接続を解除して検出を無効状態にしたい。先ず、押しボタン３０３を押すと、端子（１）は、図６に示すような波形になる。端子（１）は、ブロック２のＲＳフリップフロップ４０１のＳ（セット）端子に接続しているので、Ｑ出力がセットされ、回路の小さい時間遅れのあと、「１」状態になる。これが端子（２）の状態である。
端子（１）は、更にブロック４のＲＳフリップフロップ４０２のＲ（リセット）端子に接続しているので、Ｑ出力がリセットされ、回路の小さい時間遅れ（遅延時間という）のあと、「０」状態になる。これが端子（６）の波形である。端子（６）は、ブロック２のインバータ４０３で反転され、端子（３）の波形となっていて、これがブロック２のアンド回路４０４に端子（２）とともに接続しているので、アンド回路４０４の出力は、遅延時間経過後に端子（４）の波形となる。これが、測定クロック発振器４０５の出力に接続した第六のスイッチの制御入力に接続しているので、発振出力を端子（５）に伝える。このようにする場合と、端子（４）の信号で、測定クロック発振器４０５の発振の開始／停止を制御し、スイッチによる接続は行わない手段も取ることができる。端子（５）には、第二の抵抗４０６が接地の間に接続しているので、第六のスイッチが接続状態では、測定クロックが端子（５）に出て、接続していない場合は、端子（５）は「０」の状態になる。従って、端子（４）の「１」の間だけ、端子（５）に測定クロックが得られる。
【００２５】
測定クロック発振器４０５は、多くのものが利用できるが、図５の５−Ａに示す非安定マルチバイブレータも利用できる。この回路の定数例では、約３秒間隔で発振を繰り返すので、発振出力の立ち上がり又は立下りで、単安定マルチバイブレータ等を駆動すれば、３秒間隔で短い測定パルスを得ることができる。図５の５−Ｂには、単安定マルチバイブレータの回路図も示してあるが、両者ともよく知られた回路なので説明を省略する。
端子（５）の測定クロックは、ブロック３の第四のスイッチ４０７Ａ、４０７Ｂ、４０７Ｃ、４０７Ｄを駆動して、測定クロックが「１」の時間に第四のスイッチを接続する。そうすると、第四のスイッチは、ブロック１の対の電極４０８又はこれに接続した導電ワイヤ１２５に接続しているので、対の電極４０８が開放／短絡の状態を検出可能となる。尚、この期間には、ブロック１の観測データ取込部１１３ここでは、第五のスイッチ１１３Ａへの対の電極４０８に繋がった導電ワイヤ１２５の並列接続を行う第三のスイッチ１１６Ａを切断するようにすることが好ましい。この期間には、検出データ伝達回路１１０の機能を無効にして、親機への検出信号を伝えないほうがよいためである。従って、第四のスイッチと第三のスイッチ１１６Ａは接続と切断が互いに反対の動作を行うものである。ブロック３の第四のスイッチは電源４１０と接地の間に二つの抵抗が直列接続された接続点４１１に繋がっているので、対の電極が短絡状態では接地側の抵抗が対の電極で短絡され、接続点４１１は、「０」状態になり、対の電極が開放状態では、二つの抵抗で電源電圧を分割した値の状態となる。例えば、二つの抵抗が同じ値では、電源電圧の１／２の値になる。接続点４１１は、電圧コンパレータ４１２の入力の１つに接続され、他の入力には比較の基準電圧ＶＴを入力しているので、接続点４１１の電位がＶＴより高ければ、電圧コンパレータ４１２の出力は「１」、低ければ「０」となる。
ここで、基準電圧ＶＴは、二つの抵抗が同じ値では、上記の電源電圧の１／２の値より低くく決めておけば、電源電圧の１／２の値では「１」と出力してくれる。電圧コンパレータ４１２の出力は、ラッチ４１３に入力し、その制御入力として端子（５）の測定クロックが接続されているので、測定クロックが立ち下がってしまった後でも、ラッチ４１３出力は次の測定クロックが来るまで保持される。二組のラッチ出力がブロック３のアンド回路４１４に入力している。対の電極が開放の状態がラッチ出力「１」の状態に対応するので、
二組の対の電極がともに開放状態でアンド回路４１４の出力が「１」になる。後で示すように二組の対の電極がともに開放状態とは、クリップが正常に装着した状態である。
後はこの状態が、所望の時間（例えば、５回測定の間）継続しているかを確認する必要がある。
尚、ブロック３には、対の電極が二組に対応して二組の測定回路が示している。対の電極が一組では、一組の測定回路でよいことは勿論である。
【００２６】
ブロック４は、開放の状態が所望の時間継続しているかを確認する回路となっている。
ブロック３のアンド回路４１４の出力は、ブロック４のＤＦＦ４１５（ディレードフリップフロップ）に入力している。ＤＦＦは更に複数のＤＦＦにシリーズに接続していて、所謂シフトレジスタを形成している。シフトレジスタは、これを駆動するクロックにより
データが一つ後ろにずれていくものである。各ＤＦＦには、端子（５）の測定クロックが接続しているので、測定ごとに１つずつずれた測定データが得られる。即ち、一つ後ろ（図で右側）にあるＤＦＦの出力は、前のＤＦＦの出力のデータより一つ前の測定データになっている。
各ＤＦＦの出力からは、第二のラッチ４１６に入力させる接続があり、ここでは、５個の、第二のラッチが示されている。各第二のラッチ４１６には端子（５）の測定クロックが供給されているので、このクロックにより各ラッチ出力が保持される。即ち測定クロックが立ち下るタイミングで、５個の連続した測定データが一時に取り出されて保持され、この５連続データがブロック４のアンド回路４１７に入力していて、５連続データが「１」（対の電極が五連続測定で開放：正常に装着状態）のときのみ初めてアンド回路４１７の出力が「１」となり、これでブロック４のＲＳフリップフロップ４０２のセットＳ端子４１８を駆動して、Ｑ出力を「１」にする。これが端子（６）の波形になっている。端子（６）によって、ブロック１の検出データ伝達回路１１０のメインスイッチ１１４を接続する。更に、ブロック２のＲＳフリップフロップ４０１のリセットＲ入力を駆動して、リセットをかける。ＲＳフリップフロップ４０１のＱ出力は、「０」となる。これが端子（２）の波形である。従って、メインスイッチ１１４が入って、検出データ伝達回路１１０の動作が有効になる素地ができたと同時に、対の電極の状態をブロック３とブロック４で測定することは必要がなくなるので、測定クロックを停止し、同時にブロック１の第五のスイッチ１１３Ａへの対の電極に繋がった導電ワイヤ１２５の並列接続を行う第三のスイッチ１１６Ａを接続状態にする。
「検出データ伝達回路１１０の動作が有効になる素地ができた」との表現は、実際に有効になるのは、検出データ伝達回路１１０にメインスイッチ１１４に直列にタイマー駆動スイッチがある場合は、タイマーでセットされた所望の時間が経過してタイマー駆動スイッチが接続した後になるからである。
【００２７】
図７は、本発明による装着状態検出による回路活性機能付患者の状態・症状観測装置への電源の供給の一実施態様を示す図である。検出データ伝達回路１１０をコネクタ１１５を介して親機のナースコール装置に接続して動作させる場合に、検出データ伝達回路１１０は、患者の動きを検出する回路であって、これを有効にするか無効にするかを検出データ伝達回路１１０内のメインスイッチの接続／切断により行うのであるが、これを制御するためには、検出データ伝達回路１１０以外の回路、例えば、図１の装着状態検出・スイッチ駆動手段、図３の装着状態検出回路、測定クロック発振器等の回路や図２のＣＰＵ、メモリを動作させるための電源の確保が必要である。メインスイッチの接続／切断は、上記の電源を切ることではないからである。
電源の供給手段としては、７−Ａに見るように、親機７０１からコネクタ７０２を介して、信号を貰い、子機７００の患者の状態・症状観測装置側に備えた電源７０３を駆動する場合と、７−Ｂのように、親機７０１からコネクタ７０２を介して親機から配線を通して電源を供給する場合がある。
【００２８】
図８は、本発明による装着状態検出による回路活性機能付患者の状態・症状観測装置に使用して便利なクリップの一実施態様を示す図である。８−Ａにおいて、クリップは、互いに向き合った上板８０１と下板８０２があり、クリップ先端８０３は、衣服等を挟んだときに抜けにくいように突起８０４を有している。はさみ行動を行うためのノブ８０５があって、これが下板８０２から立ち上がった係止片８０６に回転可能に軸支され、ノブ８０５を左（図で）回転すると、ノブ８０５についた突出部８０７が上板８０１を下側に押して上板８０１が下がり、クリップ先端８０３が衣服等を挟みこむようになる。上板８０１と下板８０２には各々、互いに向き合った第二の対の電極８０８が備えられているので、衣服等が挟まっている場合は、第二の対の電極８０８間の導通状態は非導通であり、衣服等が挟まってない場合は、導通状態となる。
従って、８−Ａにおいては、挟んだ状態で衣服が抜けてしまった場合は、第二の対の電極８０８間の導通状態は導通状態となり、第二の対の電極８０８は、導電ワイヤ１２５を介して、図１の１−Ａの第二のコネクタ１１６Ａを通じ、第五のスイッチ１１３Ａに並列接続される。このため、バー１２２が抜けていなくて、第五のスイッチ１１３Ａが非導通でも回路は導通状態になり、ナースコール装置親機でブザーを鳴らすなどの動作を行うことになる。
【００２９】
８−Ｂにおいて、８−Ａとの違いを強調すると、上板８０１には延設部に上側に向いて電極が備えられ、下板８０２から上側に延設した電極保持片８０９にはこの電極と向き合った電極があって、両者が第三の対の電極８１０をなしている。ノブ８０５を右に回転すると、突出部８０７が上板８０１を押さなくなるので、上板８０１は、これについたバネ板の復元により上側に上がって、クリップ先端８０３が開き、挟みこみが解除される。このとき、第三の対の電極８１０は接触して導通状態になる。ノブ８０５に触って患者が意図的に開きクリップ１２１を外そうとした場合には、第三の対の電極８１０が導通状態になるので、導電ワイヤ１２５により、第二のコネクタ１１６Ａを介して、第五のスイッチ１１３Ａに並列接続することで、回路は導通状態になりナースコール装置親機でブザーを鳴らすことができる。
勿論、この場合は、通常使用しない状態では、第三の対の電極８１０は接触して導通状態であるため、メインスイッチ１１４を切っておく必要がある。バー１２２を挿入し、クリップ１２１を衣服等に装着してから最後にメインスイッチ１１４を入れることが必要である。
【００３０】
８−Ｃにおいては、図に見るように８−Ａと８−Ｂの両方の電極を備えている場合であり、
動作の説明は、同じなので省略する。８−Ａと８−Ｂの両方の電極は、同時には導通しないので、上板８０１に付いた電極を接続し、下板８０２に付いた電極と下板８０２から上側に延設した電極保持片８０９に付いた電極を接続して、両者から導電ワイヤ１２５を引き出してもよく、８−Ｃにおいてはそのような配線状態になっている。
【００３１】
８−Ｄには、洗濯はさみタイプのクリップを示している。これも、本発明の患者の状態・症状観測装置のクリップとして使用できる。洗濯はさみはよく知られているので、動作の説明は要しないであろう。これにも対の電極が備えられ、導電ワイヤで引き出されている。
上記のクリップとの違いは、外された状態は、クリップが閉じるため、対の電極同士が導通状態になることである。
【００３２】
８−Ｅには、８−Ｃに示した対の電極が二つある不使用時開状態のクリップの各種状態の電極間の状態を示す。
衣服等に正常に装着されているときは、対の電極が二つともが、開放状態であることを示している。
８−Ｆには、８−Ｄに示した対の電極が一つある不使用時閉状態のクリップの各種状態の電極間の状態を示す。
衣服等に正常に装着されているときは、対の電極が、開放状態であることを示している。
両者とも異常時は、いずれかの対の電極間が短絡状態となる。
【００３３】
尚、タイマー押しボタンは、単なる接触など意図しない押し動作を避けるため、筐体の面より少し窪んだ状態で備えられた方がよい。
また、駆動具である押しボタンは、メインスイッチの駆動と、タイマーの駆動を兼用で行わせたが、この方が好都合であるためで、本来は、別々の押しボタンで行っても良いものである。そして、前にも記述したように押しボタン以外のものも使用することができる。
更に、図１から図４まで、子機側の回路に親機に接続するコネクタとの間にメインスイッチやタイマー駆動のスイッチを直列に接続した回路で説明してきたが、メインスイッチやタイマー駆動のスイッチを有効にするかどうかは、あくまで親機側に状態情報を届くようにして判断してもらうためであるので、親機側に情報を届くようにしておいて、メインスイッチやタイマー駆動のスイッチを有効にする代わりに、親機側で判断を開始させるようにしても同じ機能を果たすことが可能であることは勿論である。即ち、プッシュボタン押されたことを検知したら、親機側で、対の電極状態が所望の回数だけ連続して開放を検出した後（正常な装着を確認）でないと、クリップの抜けなど本番の検出を行わない。また、タイマーにより所望の時間が経過して初めて本番の検出が可能とするなど、本願の主旨を発揮して、親機側でソフトウェアの対応をすることが可能であるので、必ずしも、子機側でのスイッチの制御に制限されるものは無く適用できる。
【産業上の利用可能性】
【００３４】
以上のように本発明に係る装着状態検出による回路活性機能付患者の状態・症状観測装置では、メインスイッチを入れ忘れて機能しない人為的な単純ミスが回避されるので、産業上利用性が極めて大きい。
【符号の説明】
【００３５】
１００  装着状態検出による回路活性機能付患者の状態・症状観測装置
１１０  検出データ伝達回路
１１１、９１１  筐体
１１２、９１２  バー穴
１１３  観測データ取込部
１１３Ａ  第五のスイッチ
１１４、９１４  メインスイッチ
１１５  第一のコネクタ
１１６  第二のコネクタ
１１６Ａ  第三のスイッチ
１１７  タイマー駆動スイッチ
１１８  第一のスイッチ
１１９  第二のスイッチ
１２０  状態・症状観測具
１２０Ａ  バー患者連結具
２０３  第六のスイッチ
１２１、９２１  クリップ
１２２、９２２  バー
１２３、９２３  紐
１２４、４０８  対の電極
１２５  導電ワイヤ
１２６  接続紐
１２７  接続点
１３０  装着状態検出・スイッチ駆動手段
１３１、３０４  タイマー
１３２、３０３  押しボタン
１３３  板
１３４  隙間
１３５  ばね板
１３６  電気接点
２０１  ＣＰＵ
２０２  メモリ
３０１  装着状態検出回路
３０２  測定クロック発振回路
３０５、４０１、４０２  ＲＳフリップフロップ
３０６、３０７  端子
３０８、７０３  電源
３０９  抵抗
４０３  インバータ
４０４、４１４、４１７  アンド回路
４０５  測定クロック発振器
４０６  第二の抵抗
４０７Ａ、４０７Ｂ、４０７Ｃ、４０７Ｄ  第四のスイッチ
４１０  電源
４１１  接続点
４１２  電圧コンパレータ
４１３  ラッチ
４１５  ＤＦＦ
４１６  第二のラッチ
４１８  Ｓ端子
７００  子機
７０１  親機
７０２  コネクタ
８０１  上板
８０２  下板
８０３  クリップ先端
８０４  突起
８０５  ノブ
８０６  係止片
８０７  突出部
８０８  第二の対の電極
８０９  電極保持片
８１０  第三の対の電極
９００  患者の状態・症状観測装置
９１０  検出データ伝達回路
９１３  スイッチ
９１５  コネクタ
９２０  バー患者連結具
以上です。
【図１】
0005935092.tif 000002
【図２】
0005935092.tif 000003
【図３】
0005935092.tif 000004
【図４】
0005935092.tif 000005
【図５】
0005935092.tif 000006
【図６】
0005935092.tif 000007
【図７】
0005935092.tif 000008
【図８】
0005935092.tif 000009
【図９】
0005935092.tif 000010